(57)【要約】本発明は、無線ネットワークを介して画像を転送する無線モデムを有するデジタルカメラに関する。写真を撮る前に、ユーザは様々な構成設定を選択することができ、そのうちの１つは、タグ付き画像を写真サービスプロバイダ又は他のウェブサイトへアップロードする。画像が捕捉されるときにネットワーク接続が利用可能でない場合は、カメラは、ネットワーク利用可能性をチェックするために、後に、自動的に起動する。適切なネットワーク接続が利用可能でない場合は、カメラは、カメラから画像をアップロードするよう、低減電力状態において動作する。各画像が無線ネットワークを介してアップロード及び／又は転送されたか否かを示すデータがカメラに記憶され、画像が自身のコンピュータへ転送されたか又は自身のウェブサイトへアップロードされたか否かをユーザに示すよう、画像とともにアイコンが表示される。
2012513159.tif 000002
【特許請求の範囲】
【請求項１】
画像を捕捉し、該捕捉された画像を無線通信ネットワークを介してウェブサイトへアップロードするデジタルカメラであって、
（ａ）複数の場面の画像を捕捉し、対応する場面を表す画像信号を生成する画像センサと、
（ｂ）デジタル画像を生成するよう前記画像信号をデジタル化するアナログ−デジタルコンバータと、
（ｃ）前記デジタル画像を記憶するメモリと、
（ｄ）前記メモリへ結合され、前記記憶されたデジタル画像を表示するディスプレイと、
（ｅ）前記ウェブサイトへアップロードされる特定のデジタル画像を選択するユーザインターフェースと、
（ｆ）前記選択されたデジタル画像を前記ウェブサイトへアップロードする無線モデムと、
（ｇ）電力を前記無線モデム及び前記ディスプレイの両方へ供給する通常電力状態と、電力を前記無線モデムへ供給するが前記ディスプレイへは供給しない低減電力状態とを設定する電力管理部と、
（ｈ）前記無線モデムが適切な通信ネットワークへ接続されているかどうかを決定するプロセッサと
を有し、
ユーザが転送のために画像を選択する場合に前記無線モデムが適切な通信ネットワークへ接続されているならば、当該画像は、前記通常電力状態により所定の遅延なしに転送され、前記ユーザが転送のために画像を選択する場合に前記無線モデムが適切な通信ネットワークへ接続されていないならば、当該画像は、前記低減力状態により所定の遅延の後に転送される、デジタルカメラ。
【請求項２】
前記ディスプレイは、画像の転送ステータスを示す、
請求項１に記載のデジタルカメラ。
【請求項３】
デジタルカメラによって捕捉されたカメラを消去する方法であって、
（ａ）前記デジタルカメラによって複数の画像を捕捉するステップと、
（ｂ）前記捕捉された画像を前記デジタルカメラのメモリに記憶するステップと、
（ｃ）前記記憶された画像の一部を遠隔の記憶装置へ転送するインターフェースを設けるステップと、
（ｄ）前記デジタルカメラにおいて、前記記憶された画像のうちのどれが前記遠隔の記憶装置へ転送されたかを示すデータを記憶するステップと、
（ｅ）前記ユーザが、前記遠隔の記憶装置へ転送された前記記憶された画像のみを消去することを可能にする消去機能を設けるステップと
を有する方法。
【請求項４】
前記遠隔の記憶装置は、コンピュータを有する、
請求項３に記載の方法。
【発明の詳細な説明】
【技術分野】
【０００１】
本発明は、デジタル画像を捕捉するデジタルカメラに関し、より具体的には、無線モデムにより画像を自動的に転送するデジタルカメラに関する。
【背景技術】
【０００２】
デジタルカメラは、ますます多くの消費者及びプロの写真家によって使用されている。これらのカメラは、画像を捕捉するために１又はそれ以上のＣＣＤ又はＣＭＯＳ画像センサを用い、それらの捕捉された画像をデジタル処理することでデジタル画像ファイルを生成する。デジタル画像ファイルは、カメラ内のデジタルメモリに、通常はリムーバブル・メモリカードに記憶される。捕捉画像ファイルは、有線又は無線のインターフェースにより、ローカルコンピュータ及び他の装置（例えば、フォトプリンタ及びデジタルピクチャフレーム）へ転送可能である。画像ファイルは、また、ファイルをローカルコンピュータから転送することによって、又は無線ネットワークと通信するデジタルカメラ内の無線インターフェースを用いることによって、ウェブサイト及び写真サービスプロバイダへも転送可能である。適切な無線ネットワークには、携帯電話ネットワーク（例えば、ＣＤＭＡ及び３ＧＳＭ）及びＷｉＦｉネットワークがある。
【０００３】
無線ネットワークは、ユーザがカメラと装置との間にケーブルを物理的に接続したり、又はメモリカードをカメラから物理的に取り出して、それをコンピュータ又は他の装置におけるカード読取器に置いたりする必要がないので、デジタルカメラによって撮影された画像を他の装置及びシステムへ自動的に転送する容易な方法を提供することができる。
【０００４】
デジタル画像は、デジタルカメラから無線で転送されて、サービスプロバイダによって記憶されてよいことが知られている。特に、デジタルカメラは、「Capturing  digital  images  to  be  transferred  to  a  service  provider  for  storage」と題され、参照により本願に援用される同一出願人による米国特許第７０５７６４８号明細書（特許文献１）に記載されているように、サービスプロバイダへアップロードされる特定の画像を選択し、且つ、画像を見ることを認められる他のユーザを選択するためのユーザインターフェースと、無線モデムとを有してよい。
【０００５】
「Network  configuration  file  for  automatically  transferring  images  from  an  electronic  still  camera」と題され、参照により本願に援用される同一出願人による米国特許第６７８４９２４号明細書（特許文献２）に記載されているように、デジタルカメラが、カメラの画像ディスプレイ上のアイコンにより選択可能である様々なプロトコルを用いてネットワークサービスプロバイダと通信することができることが知られている。カメラの画像ディスプレイは、また、ネットワークサービスプロバイダからのフィードバック（例えば、「転送中」及び「転送完了」）も表示することができる。
【０００６】
デジタルカメラは、捕捉されたデジタル画像がどのように他の装置へ転送されるべきかに関するプロファイルを記憶することができることが知られている。プロファイルは、参照により本願に援用される同一出願人による欧州特許第１３３９２１４号明細書（特許文献３）に記載されているように、画像消去優先を有するファイルがカメラからホストコンピュータへ転送された後に消去されるべきかどうかを示す「画像消去優先」を含む。
【０００７】
ユーザは、無線式デジタルカメラによって捕捉された画像を無線で転送するために、肉体行為を行う必要がないので、自身のカメラによって捕捉された画像が他の装置へ転送されたか否かを理解しなくてよい。例えば、ユーザは、デジタルカメラが無線ネットワークにアクセスすることができない遠隔地で、幾つかの画像を捕捉することがある。この場合に、デジタル画像は、即座にはカメラから転送され得ず、後の時点で転送される必要がある。例えば、無線カメラがＷｉＦｉモデムを用いており、写真がビーチへのバケーションの間に撮影される場合、カメラと通信することができるＷｉＦｉアクセスポイントがない可能性がある。ユーザが後にカメラをＷｉＦｉアクセスを備えたホテル等の場所へ持って行く場合、又はユーザがバケーションからＷｉＦｉネットワークを持つ自宅に戻る場合、ユーザは画像を転送することができる。しかし、これは、ユーザがカメラを転送するためにカメラをオンすることを必要とする。すなわち、転送は自動ではない。更に、ユーザは、特定の画像がカメラから無線で既に転送されているか否かを気付いていない可能性がある。従って、実際的見地から、無線カメラはユーザにとって複雑すぎるかもしれない。
【０００８】
このような問題は、自動ウェイクアップ及び転送機能を備えたデジタルカメラを提供することによって、更に、デジタルカメラによって捕捉されたデジタル画像の転送ステータスに関する情報を記憶し表示することによって、対処され得る。
【先行技術文献】
【特許文献】
【０００９】
【特許文献１】米国特許第７０５７６４８号明細書
【特許文献２】米国特許第６７８４９２４号明細書
【特許文献３】欧州特許第１３３９２１４号明細書
【発明の概要】
【発明が解決しようとする課題】
【００１０】
本発明は、自動ウェイクアップ及び転送機能を備えたデジタルカメラを提供することを目的とする。
【００１１】
更に、本発明は、デジタルカメラによって捕捉されたデジタル画像の転送ステータスに関する情報を記憶し表示するデジタルカメラを提供することを目的とする。
【発明の効果】
【００１２】
本発明の利点は、捕捉された画像を無線ネットワークを介して自動的に転送することができるデジタルカメラを提供することである。
【図面の簡単な説明】
【００１３】
【図１】デジタルカメラ３００を有するデジタル写真撮影システムのブロック図を表す。
【図２Ａ】本発明を実施するデジタルカメラのフローチャートを表す。
【図２Ｂ】本発明を実施するデジタルカメラのフローチャートを表す。
【図３】画像転送状態を示す簡略化された状態図である。
【図４Ａ】「選択転送」設定のためのアップロードステータス状態図である。
【図４Ｂ】「全転送」設定のためのアップロードステータス状態図である。
【図５】画像状態データを含むＸＭＬファイルの一例である。
【発明を実施するための形態】
【００１４】
本発明は、画像を無線ネットワークを介してコンピュータへ転送するための無線モデムを有するデジタルカメラに関する。無線モデムは、携帯電話、ＷｉＦｉ、ブルートゥース、又は他の無線通信プロトコルを利用することができる。写真を撮る前に、ユーザは、写真サービスプロバイダ又は他のウェブサイトへアップロードするためにタグを付されている捕捉画像をアップロードする設定を含む様々な構成設定を選択することができる。画像が捕捉されたときにネットワーク接続が即座に利用可能でなく、その後にカメラがオフされる場合、カメラは、ネットワーク接続が利用可能である場合に自身が動かされたか否かをチェックするよう、後の時点で自動的に起動する。適切なネットワーク接続が利用可能である場合は、カメラは、画像をカメラからアップロードするよう低減電力状態で動作する。更に、カメラは、バッテリーがほとんど使い果たされているときに（すなわち、低バッテリー警告状態において）転送を中止することによって、バッテリー電力を節約することができる。各画像がユーザのコンピュータ又は他の指定されたコンピュータ、サーバ等へアップロード及び／又は転送されたか否かを示すデータは、カメラに記憶され、画像が自身のコンピュータへ転送されたか又はウェブサイトへアップロードされたか否かをユーザに示すよう、画像とともにアイコンが表示される。代替の実施形態では、画像はウェブアプリケーションへ転送されてよい。
【００１５】
画像は、例えば、画像をトリミングすることによって、又は音声録音を画像と関連付けることによって、無線式デジタルカメラにおいて編集されてよい。既にアップロードされた画像が編集される場合、転送及びアップロードステータスは、画像がアップロードを待っていることを示すよう設定される。無線式デジタルカメラは、また、セーブされた（例えば、ユーザのコンピュータへ転送された又はユーザのウェブサイトへアップロードされた）画像のみを消去する画像消去機能を有する。
【００１６】
図１は、デジタルカメラ３００を有するデジタル写真撮影システムのブロック図を表す。デジタルカメラ３００は、画像を捕捉及びレビューする際にユーザが容易に手に持つことができるほど十分に小さい携帯型バッテリー駆動式装置である。デジタルカメラ３００は、デジタル画像を生成する。生成されたデジタル画像は、画像メモリ３３０により記憶される。デジタルカメラ３００は、可調整開口部及び可調整シャッター３０６を有するズームレンズ３０４を有する。ズームレンズ３０４は、ズーム及びフォーカスモータドライブ３０８によって制御される。ズームレンズ３０４は、場面からの光（図示せず。）の焦点を画像センサ３１４（例えば、単一チップ型カラーＣＣＤ又はＣＭＯＳ画像センサ）に合わせる。画像センサ３１４の出力は、アナログ信号プロセッサ（ＡＳＰ）及びＡ／Ｄコンバータ３１６によってデジタル形式に変換され、一時的にＤＲＡＭバッファメモリ３１８に記憶される。ＤＲＡＭバッファメモリ３１８に記憶されたデータは、その後に、ファームウェアメモリ３２８に記憶されているファームウェアプログラムを用いてプロセッサ３２０によって処理される。代替的に、プロセッサ３２０は、カスタム回路によって（例えば、デジタルカメラにおける使用のために特別に設計された１又はそれ以上のカスタム集積回路（ＩＣ）によって）、又はプログラム可能なプロセッサとカスタム回路との組合せによって、提供されてよい。処理された画像は、次いで、画像メモリ３３０により記憶される。画像メモリ３３０は、取り外し可能なフラッシュメモリカード、内部フラッシュメモリチップ、磁気メモリ、又は光学式メモリであってよいことが理解される。代替の実施形態において、デジタルカメラ３００は、また、動画像を捕捉することもできる。代替の実施形態において、デジタルカメラ３００は、デジタル音楽プレーヤ（例えば、ＭＰ３プレーヤ）、携帯電話機、又はプログラマブル・デジタル・アシスタント（ＰＤＡ）の機能を含む他の機能を有してよい。
【００１７】
画像センサ３１４は、タイミング発生器３１２によって制御される。画像センサ３１４は、例えば、１０．２メガピクセル（３６８０ピクセル×２７６０ピクセル）を有してよい。カラー画像を提供するよう、画像センサ３１４は、カラーフィルタアレイをオーバーレイされている。カラーフィルタアレイは、異なった色のピクセルを含むピクセルアレイを有する画像センサを提供する。異なった色のピクセルは多種多様なパターンで配置されてよい。一例として、異なった色のピクセルは、「Color  imaging  array」（Bayer）と題され、参照により本願に援用される同一出願人による米国特許第３９７１０６５号明細書に記載されているように、従来のバイエル・カラーフィルタアレイを用いて配置されてよい。第２の例として、２００７年７月２８日出願の、「Image  sensor  with  improved  light  sensitivity」と題され、参照により本願に援用される同一出願人による米国特許出願第２００５／１９１７２９号明細書に記載されているように配置されてよい。これらの例は限定ではなく、多くの他のカラーパターンが使用されてよい。
【００１８】
画像センサ３１４は、最初のセンサ画像データを提供するためにタイミング発生器３１２によって第１のモードにおいて作動する場合に有効である。センサ画像データは、第２のモードで捕捉される最終の画像をプレビューするために使用される。このプレビューモード・センサ画像データは、例えば、４６０ピクセル×３４５ピクセル（これは、１０．２メガピクセル・センサから最終の画像を読み出すために通常使用される８分の１の行及び列である。）を有することができる低解像度出力として提供される。プレビューモード・センサ画像データは、同じ色を有する隣接ピクセルの値を結合することによって、又はピクセル値の一部を削除することによって、又は他の色のピクセル値を削除しながら何らかの色のピクセル値を結合することによって、提供されてよい。プレビューモード・センサ画像データは、「Electronic  camera  for  initiating  capture  of  still  images  while  previewing  motion  images」と題され、参照により本願に援用される同一出願人による米国特許第６２９２２１８号明細書に記載されているように処理されてよい。代替の実施形態において、デジタルカメラ３００は、光学式ビューファインダーを使用し、初期センサ画像は、最終の画像の露出レベルを決定し且つズームレンズ３０４の焦点を合わせるためにのみ使用され、プレビュー画像を提供するためには使用されない。
【００１９】
画像センサ３１４は、また、最終のセンサ画像データを提供するためにタイミング発生器３１２によって第２のモードにおいて作動する場合にも有効である。この最終モード・センサ画像データは、高い照明レベルを有する場面に関しイメージセンサのピクセルの全てを有し、且つ、例えば、３６８０ピクセル×２７６０ピクセルを有する１０．２メガピクセルの最終画像データでありうる高解像度出力画像として提供される。より低い照明レベルでは、最終のセンサ画像データは、センサの信号レベル、ひいては「ＩＳＯスピード」を増大させるために、画像センサにおける同じ色のピクセルの一部をビンニングすることによって、提供されてよい。
【００２０】
ズーム及びフォーカスモータ３０８並びにタイミング発生器３１２は、プロセッサ３２０によって供給される制御信号によって制御される。これらの制御信号は、可調整開口部及び可調整シャッター３０６の露出時間及びｆ値、ＡＳＰ及びＡ／Ｄコンバータ３１６のゲイン（すなわち、ＩＳＯスピード）設定、並びに、場面を照らすことができるフラッシュ３０２を制御することによって、画像センサ３１４の露出レベルを制御する。
【００２１】
プロセッサ３２０は、また、カラーＬＣＤ画像ディスプレイ３３２でレビュー可能なより低解像度の画像を生成する。状態アイコン（例えば、転送／アップロード待ち）を含むアイコンが、カラーＬＣＤ画像ディスプレイ３３２で、より低解像度の画像とともに表示されてよい。カラーＬＣＤ画像ディスプレイ３３２で表示されるグラフィカル・ユーザインターフェースは、ユーザ制御部３３４によって制御される。ユーザ制御部３３４は、カメラモード及びパラメータを設定するために、及びサービスプロバイダへアップロードされる画像及びお気に入りの画像を選択するために、図２Ａ及び２Ｂを参照して後に記載されるように、使用される。
【００２２】
プロセッサ３２０は、また、プレビューモードの間、レンズ３０４に焦点を合わせるために使用されるフォーカス計算等の付加的な計算を提供する。プロセッサ３２０は、また、画像メモリ３３０において従来のＥｘｉｆ−ＪＰＥＧ画像ファイル等の完成した画像ファイル内に記憶されている描画ｓＲＧＢ画像データを生成するために、最終のセンサ画像データの更なる処理を提供する。
【００２３】
プロセッサ３２０は、正確な日時を保持するために、低電力状態において（例えば、デジタルカメラがオフされている場合）さえ動作する実時間クロック（図示せず。）を更に有する。この実時間クロックは、また、ユーザが画像転送を開始することなく、後の時点に、デジタルカメラ３００によって捕捉された画像を自動的に転送するために、プロセッサ３２０が特定のスリープインターバルの後に起動することを可能にするためにも使用されてよい。
【００２４】
プロセッサ３２０は、無線モデム３５０へ結合されている。無線モデム３５０は、デジタルカメラ３００が、ＲＦ（無線周波数）リンク３５２Ａ及び３５２Ｂを介して画像ファイルを送受信することを可能にする。無線モデム３５０は、無線周波数（例えば、無線）リンク３５２Ｂを介して、アクセスポイント３４２（例えば、ＷｉＦｉホットスポット）における対応する無線モデムと通信する。無線モデム３５０は、デジタルカメラ３００の中に組み込まれてよい。代替的に、無線モデム３５０は、デジタルカメラ３００のメモリカードスロット（図示せず。）に挿入されるプラグインカード（例えば、ＳＤカード）に含まれてよい。
【００２５】
無線リンク３５２は、様々な無線通信規格（例えば、ＷｉＦｉ標準規格の８０２．１１ファミリ）を利用することができる。代替的に、無線リンク３５２は、ＵＷＢ等の他のＷＬＡＮ標準規格、ブルートゥース等のパーソナルエリアネットワーク標準規格、又はＴＤＭＡ若しくは狭帯域及び広帯域ＣＤＭＡ等の携帯電話通信標準規格を使用してよい。
【００２６】
無線リンク３５２Ａは、デジタルカメラ３００が、コンピュータ３４０のデータ記憶装置（例えば、ハードドライブ）にセーブされる画像を転送するために、ユーザのコンピュータ３４０と通信することを可能にする。コンピュータ３４０は、デジタルカメラ３００によって捕捉された画像をアップロードするために、インターネット３７０を介して写真サービスプロバイダ３７２（例えば、コダック・イージーシェア・ギャラリ）と通信することができる。
【００２７】
無線リンク３５２Ｂは、デジタルカメラ３００が、ＷｉＦｉホットスポット等のアクセスポイント３４２と通信することを可能にする。アクセスポイント３４２は、コンピュータ３４０におけるデータ記憶装置へ画像を転送するために、インターネット３７０を介してユーザのコンピュータ３４０と通信することができる。アクセスポイント３４２は、また、デジタルカメラ３００によって捕捉された画像をアップロードするために、インターネット３７０を介して写真サービスプロバイダ３７２と通信することもできる。画像をコンピュータ３４０へ転送することに代えて、画像は、他の場所にあるコンピュータへ、又はネットワーク記憶システム、ＴＶセットトップボックス等を含む他のタイプの装置へ転送されてよいことは明らかである。更に、画像をコダック・ギャラリ等の写真サービスプロバイダ３７２へアップロードすることに代えて、画像は、ブログ、ソーシャルネットワーキング・ウェブサイト、及びファイル共有ウェブサイト等の多種多様なタイプの画像表示可能なウェブサイトへアップロードされてよいことは明らかである。更に、画像は、デジタルカメラ３００から、無線モデム３５０を有する他のデジタルカメラへアップロードされてよい。
【００２８】
デジタルカメラ３００は、また、有線インターフェース３２６を用いて画像をコンピュータ３４０へ転送することもできる。この有線インターフェース３２６は、例えば、従来のＵＳＢ２．０インターフェース規格に適合することができる。
【００２９】
デジタルカメラ３００の様々なサブシステムは、電力管理ブロック３６２によって制御される。電力管理ブロック３６２は、充電式バッテリー３６４によって供給される電力を調整し制御する。充電式バッテリー３６４は、カメラ３００がバッテリー充電器３６６へ接続される場合に再充電される。
【００３０】
電力管理ブロック３６２は、レンズ３０４及び画像センサ３１４を用いて画像を捕捉する捕捉モードと、捕捉された画像をカラーＬＣＤ画像ディスプレイ３３２でレビューするレビューモードと、画像を自動的に転送するために使用される低減電力モードと、スリープモードとを含む複数の様々な電力モードに設定されてよい。捕捉モードでは、電力は、予め捕捉されている画像が捕捉モードの間にバックグラウンド・タスクとして転送されている場合にのみ電力が任意に無線モデム３５０及び有線インターフェース３２６へ適用され得ることを除いて、デジタルカメラ３００の全てのサブシステムへ供給される。レビューモードでは、電力は、捕捉サブシステム３１０へ供給されない。低減電力モードでは、電力は、画像メモリ３３０からプロセッサ３２０を介して無線モデム３５０へ画像を転送するために、及び、画像データを無線リンク３５２を介して転送するために必要とされる構成要素にのみ供給される。低減電力モードでは、電力は、捕捉サブシステム３１０にもカラー画像ディスプレイ３３２にも供給されない。低減電力モードでは、カメラが機能していることを示すよう、ステータスＬＥＤ（図示せず。）が点滅してよく、カメラがバックグラウンド・タスクを実行していることを示す。
【００３１】
図２Ａ及び２Ｂは、本発明を実施するデジタルカメラのフローチャートを表す。
【００３２】
図２Ａのブロック１００で、写真を撮る前に、ユーザは転送構成設定を選択することができる。設定は、どのよう画像が写真サービスプロバイダ３７２へのアップロードのためにタグを付されるのかを決定する。設定は、捕捉された全ての画像が写真サービスプロバイダ３７２へアップロードされる「全アップロード」構成設定と、ユーザがサービスプロバイダ３７２へアップロードされる特定の画像を選択する「選択画像アップロード」構成設定とを有する。
【００３３】
ブロック１０２で、ユーザは、デジタルカメラ３００を用いて画像のグループを捕捉する。これらの画像は、静止画像及び動画クリップを有してよい。
【００３４】
ブロック１０４で、ユーザは、画像をレビューし、捕捉された静止画像及び動画像の一部又は全てについてコンテンツ及びアクションタグを与える。コンテンツタグは、画像の内容に関連するメタデータである。コンテンツタグの幾つかの例には、（画像をユーザお気に入りとしてマークする）「お気に入り」タグや、「キーワード」タグがある。これは、「Using  favorite  digital  images  to  organize  and  identify  electronic  albums」と題され、参照により本願に援用される同一出願人による米国特許第７３６９１６４号明細書で記載されているように達成されてよい。次いで、コンテンツタグは、ユーザ制御部３３４によって与えられるユーザ入力に応答して、プロセッサ３２０によって適切な画像と関連付けられる。
【００３５】
ブロック１０４で、ユーザが画像をレビューしている間、ユーザは、特定のアクションタグを選択することもできる。アクションタグは、特定の動作を静止画像又は動画像と関連付けるタグである。例えば、印刷タグ、電子メールタグ、及びアップロードタグがある。アップロードタグは、どの画像が写真サービスプロバイダ３７２又は、本発明の他の実施形態においては他のサイト若しくは場所へアップロードされるべきかを示す。カメラがブロック１００において「全アップロード」モードに設定された場合、捕捉された全ての画像は、ユーザ入力を必要とすることなく、ブロック１０６においてアップロードタグを付される。カメラがブロック１００において「選択画像アップロード」モードに設定された場合、ブロック１０６においてユーザによって選択された特定の画像のみがアップロードのためにタグを付される。この場合に、アップロードタグは、ユーザ制御部３３４によって与えられるユーザ入力に応答して、プロセッサ３２０によって適切な画像と関連付けられる。
【００３６】
ブロック１０６で、画像メモリ３３０に記憶されている画像のアップロード／転送ステータスを示す「画像状態データ」が、デジタルカメラ３００において、ファームウェアメモリ３２８又は画像メモリ３３０のいずれか一方に記憶される。データは、どの画像が写真サービスプロバイダ３７２へアップロードされるべきかを示す。更に、データは、捕捉された画像のうちのどれがコンピュータ３４０へ転送されたかを示してよい。
【００３７】
図３は、捕捉された画像について様々な状態を示す簡略化された状態図である。状態には、「転送待ち」状態４０２と、「アップロード待ち」状態４０４と、「転送」状態４０６と、「転送及びアップロード」状態４０８とがある。本発明の他の実施形態は、設計のニーズに合うように、記載されている以外のより多くの又はより少ない状態を有してよい。特定のアイコン４１４、４１６及び４１８が、転送待ち状態４０２を除いて、状態をユーザに示すために使用される。転送待ち状態４０２では、アイコンがないことで、画像がアップロードも転送もされていないことを示す。
【００３８】
図４Ａは、ブロック１００においてユーザが「選択画像アップロード」構成設定を選択する場合に６つの詳細な状態が存在することを示す。状態５及び６は、カメラからの転送に成功した静止画像又は動画像を表す。ブロック１４０に関して後述されるように、消去メニューに入ると、プロセッサ３２０は、いずれかの画像が状態５又は６にあるかどうかを決定する。画像がこれらの状態に存在する場合、プロセッサ３２０は、転送された全ての画像を総数とともに消去する消去選択肢を提示する。画像が状態１、２、３及び４にのみ存在する場合、ユーザは、転送された画像のみを消去する選択肢を提示されず、代わりに、現在表示されている画像を消去する、又は記憶されている全ての画像を消去する選択肢のみを提示される。
【００３９】
図４Ｂは、ブロック１００においてユーザが「全画像アップロード」構成設定を選択する場合に４つの詳細な状態が存在することを示す。状態６は、カメラからの転送に成功した静止画像又は動画像を表す。ユーザがこの構成設定を選択する場合、消去メニューにはいると（ブロック１４０）、プロセッサ３２０は、いずれかの画像が状態６にあるかどうかを決定する。画像がこの状態に存在する場合、プロセッサ３２０は、転送された全ての画像を総数とともに消去する消去選択肢を提示する。画像が状態２、３及び４２のみ存在する場合、ユーザは、転送された画像のみを消去する選択肢を提示されず、代わりに、現在表示されている画像を消去する、又は記憶されている全ての画像を消去する選択肢のみを提示される。
【００４０】
静止画像又は動画像はアップロードされ得るが依然として転送されないことに留意すべきである。これは、静止画像又は動画像が写真サービスプロバイダ３７２へアップロードされているが、転送あて先がオフされているために起こりうる。
【００４１】
図４Ａ及び４Ｂに示されるこれらの状態は、図３に関連して記載されるように、ユーザへの表示のために、より少数の簡単な状態にまとめられてよい。
【００４２】
図５は、画像状態データを含むＸＭＬファイルの例である。この例では、ユーザは、次の静止（ＪＰＧ）及びムービー（ＭＯＶ）ファイルをアップロードするためにタグを付している：“１０４＿０１０１．ＪＰＧ”、“１０４＿０１０９．ＪＰＧ”、“１０４＿０１２０．ＪＰＧ”及び“１０４＿０１５５．ＭＯＶ”。画像“１０４＿０１２０．ＪＰＧ”は、関連する注釈ＷＡＶファイル“１０４１０１２０．ＷＡＶ”を有し、また、このＷＡＶファイルは、ブロック１３６に関連して後述されるように、アップロードされるファイルのリストに加えられる。
【００４３】
ＨＥＡＤＥＲ部は、次の要素を含む：
１．  “ｔｒａｎｓｆｅｒ＿ＸＭＬ＿Ｖｅｒｓｉｏｎ”―この命令要素は、タグを付されたアセットをアップロードするのを支援するために使用されるＸＭＬファイルのバージョンである。最初のバージョンは“１．０”に設定される。
２．  “ｃｒｅａｔｏｒ”―この命令要素は、ＸＭＬファイルを作成した会社名である。コダックのカメラに関しては、この要素値は“Ｅａｓｔｍａｎ  Ｋｏｄａｋ”に設定される。
３．  “ｍｏｄｅｌｎａｍｅ”―この命令要素は、カメラモデル名である。この要素の値は、ＥｘｉｆＪＰＥＧファイルにおけるモデルタグ値と同じである。
４．  “ｃａｍｅｒａ＿ｓｅｒｉａｌ＿ｎｕｍｂｅｒ”―この命令要素は、カメラのシリアルナンバーである。その値は、ＥｘｉｆＭａｌｅｒＮｏｔｅｓタグに格納されているシリアルナンバーと同じである。
５．  “ｆｉｒｍｖｅｒｓｉｏｎ”―この命令要素は、カメラのファームウェアバージョンである。
【００４４】
ＴＲＡＮＳＦＥＲ部は、次の要素を含む：
１．  “ｌｉｓｔ”―この命令要素は、アップロードされるようタグを付されている項目又はアセットのリストを格納する。
２．  “ｉｔｅｍ”―この命令要素は、アップロードされるようタグを付されているファイルに関する情報を格納する。
【００４５】
ＩＴＥＭ要素内には、次の要素が目下定義されている：
１．  “ｐａｔｈ”―カメラからのアップロードのためにタグを付されているファイルの経路。この要素の値は、正規表現の次のシンタックスに対応するよう制限されている：（［．］［．］［／］［／］ＤＣＩＭ／（［Ａ−Ｚ］｜［０−９］｜［＿］）｛８｝／（［Ａ−Ｚ］｜［０−９］｜［＿］）｛８｝［．］（［Ａ−Ｚ］｜［ａ−ｚ］）｛３｝）
２．  “ｃａｍｅｒａ＿ｕｐｌｏａｄ＿ｓｔａｔｕｓ”―この命令要素は、アセットのアップロードステータスを格納する。この要素の値は、２つの値“ａｗａｉｔｉｎｇ＿ｕｐｌｏａｄ”及び“ｕｐｌｏａｄｅｄ”に制限されている。
【００４６】
ブロック１０４におけるアップロードのためのＪＰＥＧ画像又はＱｕｉｃｋＴｉｍｅムービーの選択は、“リスト”要素に加えられる命令的な“ｐａｔｈ”要素及び命令的な“ｃａｍｅｒａ＿ｕｐｌｏａｄ＿ｓｔａｔｕｓ”要素を含む新たな“ｉｔｅｍ”要素をもたらす。ＪＰＥＧ画像ファイルが関連するＷＡＶ注釈ファイルを有する場合、自動的に、ＷＡＶファイルも、ＸＭＬファイルの“ｌｉｓｔ”要素における新たな“ｉｔｅｍ”要素に加えられる。
【００４７】
ブロック１０４で、ユーザが、アップロードのために予め選択されているが未だアップロードされていない画像又はムービーを非選択状態にすることが可能である。この場合において、ＸＭＬファイルは、アップロードのために非選択状態にされている項目に関連する“ｌｉｓｔ”要素内の“ｉｔｅｍ”要素を削除するよう更新される。非選択状態にされているＪＰＥＧファイルが関連するオーディオＷＡＶファイルを有する場合、そのＷＡＶファイルは、このオーディオ・アセットに関連する“ｌｉｓｔ”要素内の“ｉｔｅｍ”要素から削除される。
【００４８】
図２Ａのブロック１１０で、プロセッサ３２０は、例えば、カメラを画像レビューから画像捕捉モードへ切り替えることによって、ユーザが更なる画像を捕捉したいかどうかを決定する。ユーザが更なる画像を捕捉したい場合（ブロック１１０に対する“はい”）、ブロック１０２は、更なる画像を捕捉するために繰り返され、ブロック１０４〜１０６は、新しい画像に係るコンテンツ及びアクションタグを提供し、且つ、それらの新しい画像について適切な画像状態データを提供して表示するために繰り返される。
【００４９】
ブロック１２８で、デジタルカメラ３００におけるプロセッサ３２０は、無線モデム３５０が利用可能なネットワークを介してコンピュータ３４０又はアクセスポイント３４２と通信することができるかどうかを決定する。
【００５０】
ネットワーク接続が利用可能である場合（ブロック１２８に対する“はい”）、ブロック１３０で、転送待ち状態４０２にある画像メモリ３３０に記憶された画像はコンピュータ３４０へ転送され、アップロード待ち状態４０４にある画像は写真サービスプロバイダ３７２へアップロードされる。
【００５１】
ブロック１３２で、ブロック１０６に関連して先に記載された画像状態データが更新され（例えば、図５におけるＸＭＬファイルが更新される。）、画像がユーザのコンピュータへ転送されたか又はユーザのウェブサイトへアップロードされたか否かをユーザに示すようアイコンが画像とともに表示される。
【００５２】
ブロック１３４で、ユーザは、特定の画像が画像ディスプレイ３３２で見られ、ユーザ制御部３３４を用いて編集可能であるように、画像編集モードを選択することができる。
【００５３】
ユーザが１又はそれ以上の画像を編集すると決める場合（ブロック１３４に対する“はい”）、ブロック１３６で、画像は、ユーザ制御部３３４からのユーザ入力に応答して編集される。編集には、トリミング、色調整、及び赤目補正等の一般的な画像編集動作が含まれてよい。また、編集には、デジタルカメラ３００におけるマイクロフォン（図示せず。）を用いた音声記録が含まれてよい。この音声データは、例えば、画像ファイル内に音声データを含めることによって、又は音声ファイルの名称を提供する関連するオーディオタグを画像ファイルに付加することによって、編集されたデジタル画像ファイルと関連付けられてよい。
【００５４】
画像がブロック１３６で編集される場合、編集された画像に係る画像状態データは、画像が現在転送を待っていることを示すよう更新される（図３の４０２）。これは、未編集の画像（又は以前に編集された画像）が既に写真サービスプロバイダ３７２へ転送され及び／又はコンピュータ３４０へアップロードされている場合でさえ、行われる。なぜなら、編集された画像は、この場合、以前にアップロード及び／又は転送された画像とは異なるからである。
【００５５】
ブロック１３８で、ユーザは、デジタルカメラ３００の画像メモリ３３０に記憶されている画像の一部を消去するために、画像消去機能を選択することができる。ユーザが画像消去モードを選択する場合（ブロック１３８に対する“はい”）、ブロック１４０で、画像ディスプレイ３３２は、単一の画像（例えば、現在表示されている画像）、（２）記憶されている全ての画像、又は（３）図５に関連して記載されるＸＭＬファイルに格納されている画像状態データによって示されるように、コンピュータ（例えば、コンピュータ３４０）へ既に転送（アップロード）された記憶されている画像のみ、のいずれかを消去する選択肢をユーザに与える。
【００５６】
ブロック１５０で、ユーザは、デジタルカメラ３００の電源を切るよう選択することができる。この場合（ブロック１５０に対する“はい”）において、図２Ａに示されるフロー図は続く。
【００５７】
図２Ｂのブロック１６０で、プロセッサ３２０は、画像メモリ３３０に記憶されている画像の一部が未だ転送されていないかどうかを決定する。この決定は、図５に関連して記載される画像状態データから行われてよい。
【００５８】
全ての画像が転送された場合（ブロック１６０に対する“いいえ”）、ブロック１６４で、カメラは、自動ウェイクアップを伴うことなく電源を切られる。この場合において、カメラは、ユーザが後の時点で再びカメラをオンするまでは、再び電源を入れられない。
【００５９】
一部の画像が転送を必要とする場合（ブロック１６０に対する“はい”）、ブロック１６６で、デジタルカメラ３００におけるプロセッサ３２０は、スリープモードにおいてカメラの電源を切り、それにより、カメラは、後の時点で自動的に起動し、画像を転送しようと試みる。これは、ユーザが、ある時点で、デジタルカメラ３００を、適切な無線ネットワーク３５２にアクセスすることができる場所へ移動する可能性があるので、行われる。例えば、ユーザは、カメラを、遠く離れた場所から公衆のホットスポット又は自宅へ持っていくことがある。
【００６０】
ブロック１６８で、スリープ時間は、所定の時間期間に等しいよう設定される。この時間期間は、任意に、ブロック１００においてユーザによって設定されてよい。典型的なデフォルトの時間期間は４時間である。従って、カメラにおける実時間クロックが午後９時３０分の現在時刻を有する場合、カメラは、午前１時３０分に低減電力モードにおいて自動的に電源が入るよう設定される。
【００６１】
ブロック１７０で、デジタルカメラ３００におけるプロセッサ３２０は、バッテリー充電器３６６がデジタルカメラ３００に接続されているか否かを決定する。
【００６２】
バッテリー充電器３６６が接続されている場合（ぶろック１７０に対する“はい”）、ブロック１７２で、スリープ時間が、バッテリー充電時間に基づく時間に設定される。これは、ユーザがより多くの写真を撮影することができるようにするために、バッテリー充電が優先するように行われる。例えば、バッテリーが、通常は、充電するのに２時間かかる場合、スリープ時間は、バッテリーが完全に使い果たされているならば２時間に設定され、バッテリーがおおよそ半分だけ充電されているならば１時間に設定されてよい。
【００６３】
ブロック１７４で、カメラは、低減電力状態において電源を入れられる。これは、図１に関連して先に記載された。
【００６４】
ブロック１７６で、デジタルカメラ３００におけるプロセッサ３２０は、無線モデム３５０が、利用可能なネットワークを介してコンピュータ３４０又はアクセスポイント３４２のいずれかと通信することができるかどうかを決定する。
【００６５】
ネットワーク通信が利用可能でない場合（ブロック１７６に対する“いいえ”）、ブロック１６８〜１７６が繰り返される。言い換えると、デジタルカメラ３００は、ネットワーク接続が利用可能な場所にカメラが動かされたか否かをチェックするよう、後の時点で再び自動的に起動する。幾つかの実施形態において、ブロック１６８における所定の時間期間は、ブロック１６８が数回繰り返された後に変更されてよい。例えば、所定の時間期間は比較的短く（例えば、最初は１時間）、次いで、数回の繰り返しの後に、バッテリー電力を節約するために、更に長くされてよい（例えば、８時間）。
【００６６】
ネットワーク接続が利用可能である場合（ブロック１７６に対して“はい”）、ブロック１８０で、ブロック１３０に関連して先に記載されたように、転送待ち状態４０２にある画像メモリ３３０に記憶された画像はコンピュータ３４０へ転送され、アップロード待ち状態４０４にある画像は写真サービスプロバイダ３７２へアップロードされる。
【００６７】
ブロック１８２で、ブロック１０６に関連して先に記載された画像状態データが更新され（例えば、図５におけるＸＭＬファイルが更新される。）、ブロック１３２に関連して先に記載されたように、画像がユーザのコンピュータへ転送されたか又はユーザのウェブサイトへアップロードされたか否かをユーザに示すようアイコンを画像とともに表示するために使用されてよい。最大電力低減の目標が望まれる場合は、カメラが低減電力モードにあるので、画像とともにアイコンが表示される必要はないことに留意すべきである。一実施形態において、ユーザがカメラをフルパワー状態に置き、且つ、ユーザが画像レビューモードに入ると、ユーザは転送アイコンを見ることができる。ブロック１６４で、デジタルカメラ３００は、ユーザが後の時点でカメラをオンするまで、自動ウェイクアップなしに電源を落とされている。ブロック１８０及び１８２は、ユーザがネットワーク範囲を離れることができ、且つ、ネットワークが落ちる場合にカメラが自動ウェイクアップを有して電源を切られるので、実際には、ネットワーク接続性をチェックしている。
【００６８】
幾つかの実施形態において、ユーザは、ブロック１００において手動転送モードを選択することができる。カメラが手動動作に設定される場合、カメラは、図２Ｂのブロック１６０〜１８２に関連して記載される自動アップロードを実行しない。
【符号の説明】
【００６９】
３００  デジタルカメラ
３０２  フラッシュ
３０４  ズームレンズ
３０６  可調整開口部及び可調整シャッター
３０８  ズーム及びフォーカスモータドライブ
３１０  捕捉サブシステム
３１２  タイミング発生器
３１４  画像センサ
３１６  ＡＳＰ及びＡ／Ｄコンバータ
３１８  ＤＲＡＭバッファメモリ
３２０  プロセッサ
３２６  有線インターフェース
３２８  ファームウェアメモリ
３３０  画像メモリ
３３２  カラーＬＣＤ画像ディスプレイ
３３４  ユーザ制御部
３４０  コンピュータ
３５０  無線モデム
３５２  無線リンク
３６２  電源管理部
３６４  充電式バッテリー
３６６  バッテリー充電器
３７０  インターネット
３７２  写真サービスプロバイダ
【図１】
2012513159.tif 000003
【図２Ａ】
2012513159.tif 000004
【図２Ｂ】
2012513159.tif 000005
【図３】
2012513159.tif 000006
【図４Ａ】
2012513159.tif 000007
【図４Ｂ】
2012513159.tif 000008
【図５】
2012513159.tif 000009
【国際調査報告】
2012513159.tif 000010
2012513159.tif 000011
2012513159.tif 000012
2012513159.tif 000013
2012513159.tif 000014